【手続補正書】
【提出日】平成24年2月1日(2012.2.1)
【手続補正１】
【補正対象書類名】明細書
【補正対象項目名】発明の名称
【補正方法】変更
【補正の内容】
【発明の名称】放射線画像撮影装置および放射線画像撮影表示方法
【手続補正２】
【補正対象書類名】明細書
【補正対象項目名】０００１
【補正方法】変更
【補正の内容】
【０００１】
本発明は、互いに異なる方向からの被写体へ放射線の照射によって放射線画像検出器により放射線画像を取得する放射線画像撮影装置および放射線画像を用いて立体視画像を表示する放射線画像撮影表示方法に関するものである。
【手続補正３】
【補正対象書類名】明細書
【補正対象項目名】０００９
【補正方法】変更
【補正の内容】
【０００９】
本発明は、上記の事情に鑑みなされたものであり、立体視画像における奥行き感及び表示画面からの飛び出し量が一定である放射線画像を取得することができる放射線画像撮影装置、および立体視画像における奥行き感及び表示画面からの飛び出し量が一定である立体視画像を表示することができる放射線画像撮影表示方法を提供することを目的とする。
【手続補正４】
【補正対象書類名】明細書
【補正対象項目名】００１０
【補正方法】変更
【補正の内容】
【００１０】
本発明の放射線画像撮影装置は、互いに異なる撮影方向から被写体への放射線を照射する放射線照射部と、
該放射線照射部によって照射されて前記被写体を透過した放射線を検出する放射線画像検出器とを備えた放射線画像撮影装置において、
前記放射線照射部が位置する側における前記被写体の最端面の位置から前記放射線画像検出部までの間の距離が予め定められた一定距離になるよう前記被写体の位置を制御する被写体位置決め部とを備えていることを特徴とするものである。
【手続補正５】
【補正対象書類名】明細書
【補正対象項目名】００１２
【補正方法】変更
【補正の内容】
【００１２】
また本発明の放射線画像撮影装置においては、前記放射線照射部が位置する側における前記被写体の最端面の位置を検出する被写体位置検出部を備えることができる。本発明の放射線画像撮影装置においては、さらに、放射線画像検出器により検出された撮影方向毎の放射線画像を取得し、該取得した撮影方向毎の放射線画像を用いて立体視画像を表示する表示装置を備えることができる。
【手続補正６】
【補正対象書類名】明細書
【補正対象項目名】００１４
【補正方法】変更
【補正の内容】
【００１４】
また本発明の放射線画像撮影装置においては、前記被写体を支持する支持部と、
該支持部の位置を前記放射線照射部と前記放射線画像検出部との間で移動させる支持部駆動部とを備え、
前記被写体位置決め部が、前記被写体の最端面の位置から前記放射線画像検出部までの間の距離が前記一定距離になるように前記支持部駆動部を制御するものとすることができる。
【手続補正７】
【補正対象書類名】明細書
【補正対象項目名】００１５
【補正方法】変更
【補正の内容】
【００１５】
本発明の乳房画像撮影装置は、互いに異なる撮影方向から被験者の乳房への放射線を照射する放射線照射部と、
該放射線照射部によって照射されて前記乳房を透過した放射線を検出する放射線画像検出器とを備えた乳房画像撮影装置において、
前記乳房を載せる支持台と、
前記放射線照射部と前記放射線画像検出部との間に設けられ、該放射線画像検出部から予め定められた一体距離離れた位置に固定されて前記支持台上の前記乳房を圧迫する圧迫板と、
前記支持台の位置を前記圧迫板の位置する側へ移動させて前記乳房を圧迫する支持台駆動部とを備えていることを特徴とするものである。本発明の乳房画像撮影装置においては、さらに、放射線画像検出器により検出された撮影方向毎の放射線画像を取得し、該取得した撮影方向毎の放射線画像を用いて立体視画像を表示する表示装置を備えることができる。
【手続補正８】
【補正対象書類名】明細書
【補正対象項目名】００１６
【補正方法】変更
【補正の内容】
【００１６】
本発明の放射線画像撮影表示方法は、互いに異なる撮影方向からの放射線照射部による被写体への放射線の照射によって、放射線画像検出器により検出された前記撮影方向毎の放射線画像を取得し、該取得した撮影方向毎の放射線画像を用いて立体視画像を表示する放射線画像撮影表示方法において、
前記放射線照射部が位置する側において前記被写体の最端面の位置から前記放射線画像検出部までの間の距離が予め定められた一定距離になるよう前記被写体の位置を制御し、
該被写体位置が制御された状態で前記撮影方向ごとの放射線画像を取得し、
該取得された放射線画像を用いて立体視画像を表示することを特徴とする。
【手続補正９】
【補正対象書類名】明細書
【補正対象項目名】００１７
【補正方法】変更
【補正の内容】
【００１７】
本発明の乳房画像撮影表示方法は、互いに異なる撮影方向からの放射線照射部による被験者の乳房への放射線の照射によって、放射線画像検出器により検出された前記撮影方向毎の放射線画像を取得し、該取得した撮影方向毎の放射線画像を用いて立体視画像を表示する乳房画像撮影表示方法において、
前記乳房を載せる支持台と、
前記放射線照射部と前記放射線画像検出部との間に設けられ、該放射線画像検出部から予め定められた一体距離離れた位置に固定されて前記支持台上の前記乳房を圧迫する圧迫板とを備え、
前記支持台の位置を前記圧迫板の位置する側へ移動させて前記乳房を圧迫し、
該乳房が圧迫された状態で前記撮影方向ごとの放射線画像を取得し、
該取得された放射線画像を用いて立体視画像を表示することを特徴とする。
【手続補正１０】
【補正対象書類名】明細書
【補正対象項目名】００１８
【補正方法】変更
【補正の内容】
【００１８】
本発明の放射線画像撮影装置及び放射線画像撮影表示方法によれば、放射線照射部が位置する側における前記被写体の最端面の位置から放射線画像検出部までの間の距離が予め定められた一定距離になるよう被写体の位置を制御し、被写体位置が制御された状態で撮影方向ごとの放射線画像を取得するようにしたので、厚さの異なる複数の被写体をそれぞれ撮影するときに、放射線照射部が位置する側における前記被写体の最端面の位置から放射線画像検出部までの間の距離が、どの被写体を撮影する場合でも同じ距離となり、被写体の厚さが異なっていても、どの被写体の立体視画像においても立体視画像上の飛び出し量を一定にすることができると共に輻輳角を変えたり、立体視画像表示時に左目用放射線画像と右目用放射線画像のシフト量を変えたりしないことから、左目用放射線画像と右目用放射線画像における視差が変わらないので、どの被写体の立体視画像においても立体視画像における奥行き感を一定にすることができる。
【手続補正１１】
【補正対象書類名】明細書
【補正対象項目名】００２０
【補正方法】変更
【補正の内容】
【００２０】
また本発明の乳房画像撮影装置及び乳房画像撮影表示方法によれば、乳房を載せる支持台と、放射線照射部と放射線画像検出部との間に設けられ、放射線画像検出部から予め定められた一体距離離れた位置に固定されて支持台上の前記乳房を圧迫する圧迫板とを備え、支持台の位置を圧迫板の位置する側へ移動させて乳房を圧迫し、乳房が圧迫された状態で撮影方向ごとの放射線画像を取得するようにしたので、厚さの異なる複数の被験者の乳房をそれぞれ撮影するときに、圧迫板の位置から放射線画像検出部までの間の距離が、どの被験者の乳房を撮影する場合でも同じ距離となり、乳房の厚さが異なっていても、どの乳房の立体視画像においても飛び出し量を一定にすることができると共に輻輳角を変えたり、立体視画像表示時に左目用放射線画像と右目用放射線画像のシフト量を変えたりしないことから、左目用放射線画像と右目用放射線画像における視差が変わらないので、どの乳房の立体視画像においても立体視画像における奥行き感を一定にすることができる。
【手続補正１２】
【補正対象書類名】明細書
【補正対象項目名】００２２
【補正方法】変更
【補正の内容】
【００２２】
【図１】本発明の放射線画像撮影装置の一実施形態を用いた放射線ステレオ画像撮影表示装置の概略構成図
【図２】本発明の放射線画像撮影装置の一実施形態を用いた放射線ステレオ画像撮影表示装置における放射線検出部とコンピュータの内部構成を示すブロック図
【図３】本発明の放射線画像撮影装置の一実施形態を用いた放射線ステレオ画像撮影表示装置の作用を説明するためのフローチャート
【図４】本発明の放射線画像撮影装置の一実施形態を用いた放射線ステレオ画像撮影表示装置の作用を説明するための説明図
【図５】本発明の乳房画像撮影装置の一実施形態を用いた乳房画像撮影表示装置の概略構成図
【図６】図５に示す乳房画像撮影表示装置のアーム部を図５の右方向から見た図
【図７】図５に示す乳房画像撮影表示装置のコンピュータ内部の概略構成を示すブロック図
【図８】本発明の乳房画像撮影装置の一実施形態を用いた乳房画像撮影表示装置の作用を説明するためのフローチャート
【図９】従来の放射線ステレオ画像撮影表示装置の作用を説明するための説明図（その１）
【図１０】従来の放射線ステレオ画像撮影表示装置の作用を説明するための説明図（その２）
【図１１】従来の放射線ステレオ画像撮影表示装置の作用を説明するための説明図（その３）
【手続補正１３】
【補正対象書類名】明細書
【補正対象項目名】００２３
【補正方法】変更
【補正の内容】
【００２３】
以下、図面を参照して本発明の放射線画像撮影装置の一実施形態を用いた放射線ステレオ画像撮影表示装置について説明する。まず、本放射線ステレオ画像撮影表示装置全体の概略構成について説明する。図１は、本放射線ステレオ画像撮影表示装置の概略構成を示す図である。
【手続補正１４】
【補正対象書類名】特許請求の範囲
【補正対象項目名】全文
【補正方法】変更
【補正の内容】
【特許請求の範囲】
【請求項１】
互いに異なる撮影方向から被写体への放射線を照射する放射線照射部と、
該放射線照射部によって照射されて前記被写体を透過した放射線を検出する放射線画像検出器とを備えた放射線画像撮影装置において、
前記放射線照射部が位置する側における前記被写体の最端面の位置から前記放射線画像検出部までの間の距離が予め定められた一定距離になるよう前記被写体の位置を制御する被写体位置決め部とを備えていることを特徴とする放射線画像撮影装置。
【請求項２】
前記放射線照射部が位置する側における前記被写体の最端面の位置を検出する被写体位置検出部を備えていることを特徴とする請求項１に記載の放射線画像撮影装置。
【請求項３】
前記被写体位置検出部が、光センサを有するものであり、
該光センサによって前記最端面の位置を検出するものであることを特徴とする請求項２に記載の放射線画像撮影装置。
【請求項４】
前記被写体を支持する支持部と、
該支持部の位置を前記放射線照射部と前記放射線画像検出部との間で移動させる支持部駆動部とを備え、
前記被写体位置決め部が、前記被写体の最端面の位置から前記放射線画像検出部までの間の距離が前記一定距離になるように前記支持部駆動部を制御するものであることを特徴とする請求項１〜３いずれか１項に記載の放射線画像撮影装置。
【請求項５】
前記放射線画像検出器により検出された前記撮影方向毎の放射線画像を取得し、該取得した撮影方向毎の放射線画像を用いて立体視画像を表示する表示装置をさらに備えていることを特徴とする請求項１〜４いずれか１項に記載の放射線画像撮影装置。
【請求項６】
互いに異なる撮影方向から被験者の乳房への放射線を照射する放射線照射部と、
該放射線照射部によって照射されて前記乳房を透過した放射線を検出する放射線画像検出器とを備えた乳房画像撮影装置において、
前記乳房を載せる支持台と、
前記放射線照射部と前記放射線画像検出部との間に設けられ、該放射線画像検出部から予め定められた一体距離離れた位置に固定されて前記支持台上の前記乳房を圧迫する圧迫板と、
前記支持台の位置を前記圧迫板の位置する側へ移動させて前記乳房を圧迫する支持台駆動部とを備えていることを特徴とする乳房画像撮影装置。
【請求項７】
前記放射線画像検出器により検出された前記撮影方向毎の放射線画像を取得し、該取得した撮影方向毎の放射線画像を用いて立体視画像を表示する表示装置をさらに備えていることを特徴とする請求項６項に記載の乳房画像撮影装置。
【請求項８】
互いに異なる撮影方向からの放射線照射部による被写体への放射線の照射によって、放射線画像検出器により検出された前記撮影方向毎の放射線画像を取得し、該取得した撮影方向毎の放射線画像を用いて立体視画像を表示する放射線画像撮影表示方法において、
前記放射線照射部が位置する側において前記被写体の最端面の位置から前記放射線画像検出部までの間の距離が予め定められた一定距離になるよう前記被写体の位置を制御し、
該被写体位置が制御された状態で前記撮影方向ごとの放射線画像を取得し、
該取得された放射線画像を用いて立体視画像を表示することを特徴とする放射線画像撮影表示方法。
【請求項９】
前記放射線照射部が位置する側において前記被写体の最端面の位置を検出することを特徴とする請求項８に記載の放射線画像撮影表示方法。
【請求項１０】
前記被写体の前記最端面の位置を光センサによって検出することを特徴とする請求項９に記載の放射線画像撮影表示方法。
【請求項１１】
前記被写体を支持部によって支持し、
該支持部を前記放射線照射部と前記放射線画像検出部との間で移動させることによって前記被写体の最端面の位置から前記放射線画像検出部までの間の距離が前記一定距離になるように前記被写体の位置を制御することを特徴とする請求項８〜１０いずれか１項に記載の放射線画像撮影表示方法。
【請求項１２】
互いに異なる撮影方向からの放射線照射部による被験者の乳房への放射線の照射によって、放射線画像検出器により検出された前記撮影方向毎の放射線画像を取得し、該取得した撮影方向毎の放射線画像を用いて立体視画像を表示する乳房画像撮影表示方法において、
前記乳房を載せる支持台と、
前記放射線照射部と前記放射線画像検出部との間に設けられ、該放射線画像検出部から予め定められた一体距離離れた位置に固定されて前記支持台上の前記乳房を圧迫する圧迫板とを備え、
前記支持台の位置を前記圧迫板の位置する側へ移動させて前記乳房を圧迫し、
該乳房が圧迫された状態で前記撮影方向ごとの放射線画像を取得し、
該取得された放射線画像を用いて立体視画像を表示することを特徴とする乳房画像撮影表示方法。